(57)【要約】【課題】ＩＣ部品の外装樹脂の一部を内部のＩＣチップの表面の中央、周辺部及びＩＣチップ周囲の外装樹脂が過不足なく薬液で除去可能とすること。【解決手段】少なくとも試料支持機能かつ薬液噴射機能を有する試料台、薬液供給手段、廃液回収手段、薬液温度制御手段を具備し、かつ前記薬液温度制御手段の数を少なくとも２個とすることによって、薬液温度の異なる２段階で外装樹脂を溶解除去する。【選択図】　　　　図１
2004111444.tif 000002
【特許請求の範囲】
【請求項１】
集積回路を外装樹脂を用いて封入したＩＣ部品の外装樹脂一部を薬液を用いて溶解除去する装置において、
少なくとも試料支持機能かつ薬液噴射機能を有する試料台、薬液供給手段、廃液回収手段、薬液温度制御手段を具備し、かつ該薬液温度制御手段の数が少なくとも２個であることを特徴とするＩＣ部品の外装樹脂の除去装置。
【請求項２】
該薬液温度制御手段の数が２個であり、該２個の薬液温度制御手段が、互いに位置を入れ替えることが可能なことを特徴とする請求項１記載のＩＣ部品の外装樹脂の除去装置。
【請求項３】
該薬液温度制御手段の数が２個であり、最初に１個の該温度制御手段を該試料台に固定して用い、所望の時間経過後に他の１個の該温度制御手段を該試料台に接触固定した１個の該温度制御手段に追加して用いることを特徴とする請求項１記載のＩＣ部品の外装樹脂の除去装置。
【請求項４】
該薬液温度制御手段の数が３個で、かつ１個の該温度制御手段が該試料台に固定し、最初に２個の該温度制御手段のいずれか１方を該試料台に固定した１個の該温度制御手段に追加して用い、所望の時間の経過後に、先の接触させた該温度制御手段と入れ替えに、残りの１個の該温度制御手段を該試料台に固定した１個の該温度制御手段に追加して用いることを特徴とする請求項１記載のＩＣ部品の外装樹脂の除去装置。
【発明の詳細な説明】
【０００１】
【発明の属する技術分野】
本発明は、ＩＣ部品の外装樹脂の除去装置に関し、故障したＩＣ部品の故障解析、特に外装樹脂を用いて集積回路を封入したＩＣ部品の外装樹脂の一部を溶解除去することにより外装樹脂の内部に封入されたＩＣチップの表面及び周囲を露出させ、ＩＣチップの表面の状況を光学顕微鏡や電子顕微鏡等を用いて観察する場合や元素分析装置を用いて元素分析する場合に関する。
【０００２】
【従来の技術】
外装樹脂を用いて集積回路を封入したＩＣ部品の外装樹脂の一部を例えば発煙硫酸等の薬液を該ＩＣ部品の外装樹脂の一部に噴射して溶解除去する場合に、試料温度及び上記薬液の温度を、上記の溶解除去作業の開始時から終了時までの間、例えば２００℃付近のある一定温度に制御した状態で上記の溶解除去作業をするのが通例であった。
【０００３】
【特許文献１】
特開平１１−３４０２５９号公報
【特許文献２】
特開２０００−３２３５０６号公報
【０００４】
【発明が解決しようとする課題】
試料であるＩＣ部品の内部にＩＣチップが位置し、そのＩＣチップの上方に相当する部分の外装樹脂を薬品を用いて溶解除去する時に、上記の試料の溶解しようとする樹脂の面を下向きに設置し、かつ、薬液噴射ノズルの位置が上記の試料の溶解しようとする樹脂部分の中央の下方となるように試料を試料台に設置した状態で薬液噴射ノズルから薬液を試料に噴射して樹脂の溶解除去作業をしようとする場合、仮に、試料温度を例えば２５０℃といった比較的高い温度に設定すると、薬液と樹脂との反応速度が高く、時間の経過と共に既に樹脂が溶解された空間部分がＩＣチップの周囲方向に拡大し、特に時間の経過した後の反応において薬液が薬液噴射ノズルの上方に位置するＩＣチップ部分に短時間しか留まらず、ＩＣチップの外側部分である上記の既に溶解された空間部分に拡散してしまい、結果として試料の特にＩＣチップの周囲部分付近の樹脂の除去が不完全になるという問題点があった。
【０００５】
一方、試料温度を例えば１３０℃といった比較的低い温度に設定すると薬品と樹脂の反応速度が低く、溶融される樹脂の範囲が狭く、結果として試料の特にＩＣチップ表面上の樹脂の特に周囲部分の樹脂及び、ＩＣチップの周囲の樹脂の残留量が多くなるという問題があった。
【０００６】
上記の２つの問題を改善するには、開封途中に、以下に示す（ｉ）（ｉｉ）のような外装樹脂に応じた最適な温度で外装樹脂の薬液による溶解除去を実施することが必要である。
【０００７】
（ｉ）ＩＣ部品の外装樹脂の薬液による溶解除去しようとする場所の表面付近からＩＣチップ付近までの深さの範囲では外装樹脂に応じた比較的「低温」で狭い範囲の樹脂を徐々に溶解除去する。
【０００８】
（ｉｉ）ＩＣチップ表面付近の深さでは外装樹脂に応じた比較的「高温」で樹脂を速く溶解除去する。
【０００９】
しかしながら、従来の市販の自動的に外装樹脂を薬液で溶解除去する装置では、試料と発煙硫酸の噴射ノズルを同時に１個の試料温度及び薬液温度制御手段を用いて温度制御する場合が通例であり、外装樹脂の溶解除去に要するせいぜい２分程度という時間内に、（ｉ）（ｉｉ）のように開封途中に試料温度及び薬液の温度を制御することが困難であるという欠点があった。
【００１０】
本発明は、上述の問題点に着目してなされたものであって、ＩＣ部品の外装樹脂内のＩＣチップの表面上の中央及び周囲部、及び、ＩＣチップの周囲の外装樹脂が過不足なく溶解除去することが可能なＩＣ部品の外装樹脂の除去装置の提供を目的とする。
【００１１】
【課題を解決するための手段】
本発明は上記課題を解決するために、以下（１）〜（４）の構成を備えるものである。
【００１２】
（１）集積回路を外装樹脂を用いて封入したＩＣ部品の外装樹脂一部を薬液を用いて溶解除去する装置において、
少なくとも試料支持機能かつ薬液噴射機能を有する試料台、薬液供給手段、廃液回収手段、薬液温度制御手段を具備し、かつ該薬液温度制御手段の数が少なくとも２個であることを特徴とするＩＣ部品の外装樹脂の除去装置。
【００１３】
（２）該薬液温度制御手段の数が２個であり、該２個の薬液温度制御手段が、互いに位置を入れ替えることが可能なことを特徴とする上記（１）記載のＩＣ部品の外装樹脂の除去装置。
【００１４】
（３）該薬液温度制御手段の数が２個であり、最初に１個の該温度制御手段を該試料台に固定して用い、所望の時間経過後に他の１個の該温度制御手段を該試料台に接触固定した１個の該温度制御手段に追加して用いることを特徴とする上記（１）記載のＩＣ部品の外装樹脂の除去装置。
【００１５】
（４）該薬液温度制御手段の数が３個で、かつ１個の該温度制御手段が該試料台に固定し、最初に２個の該温度制御手段のいずれか１方を該試料台に固定した１個の該温度制御手段に追加して用い、所望の時間の経過後に、先の接触させた該温度制御手段と入れ替えに、残りの１個の該温度制御手段を該試料台に固定した１個の該温度制御手段に追加して用いることを特徴とする上記（１）記載のＩＣ部品の外装樹脂の除去装置。
【００１６】
【発明の実施の形態】
以下に本発明の実施の形態を、実施例に基づいて図面を参照しながら説明する。
【００１７】
【実施例】
（実施例１）
以下に、実施例１の装置として、請求項１と２を用いた装置の構成と実際の試行実験について図１を参照しながら説明する。
【００１８】
実施例１の装置は、試料を支持し薬液を試料に噴射する試料台、試料台に薬液を供給する薬液供給手段、試料台で発生した廃液を回収する廃液回収手段、試料台に接触させて薬液の温度を制御する薬液温度制御手段から構成する。
【００１９】
まず、試料支持し薬液噴射機能を有する試料台について説明する。この試料台は、図１に示すように、試料支持台１、薬液噴射管２、廃液回収管３、マスク手段４、試料押さえ手段６から構成した。試料支持台１は、耐酸性かつ耐熱性を有する材質であることが必要であり、本実施例においてはステンレスを以下のように加工して試作した。試料支持台１の外形寸法は、縦５ｃｍ横５ｃｍ高さが２ｃｍの直方体状で、上面の中央に縦２ｃｍ横２ｃｍ深さ３ｍｍの直方体状の凹部を掘削加工して設けた。さらに試料支持台１には図１に示すように、側面から上面の前述の直方体状の凹部に貫通する２系統の独立したトンネル状の空間部分を設け、薬液噴射管２及び廃液回収管３を設置した。薬液噴射管２は、耐酸性かつ耐熱性を有する材質であることが必要である。
【００２０】
本実施例ではステンレス製で内径が約１ｍｍの管を用い、前述の空間部分を通して試料支持台１の側面方向から上面の凹部へ先のトンネル状の空間部分を貫通させた。薬液噴射管２は、上方の先端部を約１ｍｍ、側面方向の先端部を約２ｃｍ試料支持台１から露出させた状態で試料支持台１に溶接固定した。マスク手段４は、試料５及び試料支持台１に密着するゴム製で、かつ耐熱性を有することが必要である。本実施例では厚さ３ｍｍのバイトンゴムを縦３ｃｍ横３ｃｍの直方体状に切断加工し、更に縦３ｃｍ横３ｃｍの面の中央部に縦５ｍｍ横５ｍｍの厚さ方向に貫通する矩形の開口部を切断加工して窓枠状にしたものを用いた。廃液回収管３は、試料支持台１の凹部で試料に噴射された後の廃液を回収する目的で用いるもので、耐酸性かつ耐熱性の材質であることが必要である。本実施例ではステンレス製で内径が約１ｍｍの管を用い、前述の穴を通して試料支持台１の側面方向から上面の凹部へ先のトンネル上の穴を貫通させた。廃液回収管３は、上方の先端部を試料支持台１の凹部の底面と同じ高さとなるように、また側面方向の先端部を約２ｃｍ試料支持台１から露出させた状態で試料支持台１に溶接固定した。更に、試料支持台１には、試料５をマスク手段４上に上方から下方への応力で押さえて固定する目的の試料押さえ手段６を図１のようなステンレス製の板をＬ字状にげ加工したものを試作してナットで試料支持台１の上面に設置した。
【００２１】
本実施例においては、上記のような試料支持台１、薬液噴射管２、廃液回収管３、マスク手段４、試料押さえ手段６を試作したが、上記に示した条件を満足するものであれば、各々の材質、寸法、外形は上記に限るものではない。
【００２２】
次に、本実施例で用いた試料台に薬液を供給する薬液供給手段について説明する。薬液供給手段は、薬液収納手段８、加圧ポンプ９、電磁弁７、電磁弁開閉制御手段１０、接続管１１で構成した。薬液収納手段８は、薬液として使用する発煙硫酸等の強酸の液体を収納しても溶解しない材質であることが必要であり、本実施例では市販の容量５０ｃｃの耐熱ガラス製の容器を用いた。このガラス容器はバイトンゴム製のＯ−リングを有する蓋により密閉が可能で、また蓋の部分にガラス製の管をガラス加工により設置し外部から加圧可能なようにしたものを用いた。加圧ポンプ９は、上記のガラス容器と樹脂管で接続し、ガラス容器の内部の空気を加圧して、最終的に試料支持台１の薬液噴射管２を介して薬液を試料５に噴射する目的で用いるものである。本実施例においては加圧ポンプ９として市販のエアポンプを用いた。上記の薬液収納手段８と薬液噴射管２は接続管１１で接続するが、両者の間には、薬液の１回の噴射量と噴射のタイミングを制御する目的で、市販の電磁弁７を接続して用いた。電磁弁７は、市販の電源で開閉し、電磁弁７の１回の開閉時間と開閉のタイミングは、市販のスイッチで上記の電源を手動でＯＮ／ＯＦＦすることによって制御した。接続管１１の材質は、発煙硫酸などの強酸の液体によって溶解しないポリエチレン製で内径が約２ｍｍの市販の管を用いた。
【００２３】
試料台で発生した廃液を回収する廃液回収手段は、廃液収納手段１２と接続管１１で構成した。廃液収納手段１２は、耐酸性かつ耐熱性が必要であり、本実施例では、容量５００ｃｃの耐熱ガラス製の蓋付瓶を用いた。この瓶の蓋はバイトンゴム製のＯ−リングを用いてガラス瓶と蓋を密閉可能とし、かつ試料支持台１に溶接固定した廃液回収管３に接続と接続管１１を接続可能な穴を設け、蓋と接続管１１間をバイトンゴム製のＯ−リングで隙間なく接続可能なように加工したものを試作した。以上のガラス瓶をポリエチレン製で内径が約２ｍｍの市販の管を用いて接続した。
【００２４】
試料台に接触させて薬液の温度を制御する薬液温度制御手段は、２個の薬液温度制御ヒータ１３，１５と各々の薬液温度制御ヒータ１３，１５に電力を供給しかつＰＩＤ制御するヒータ温度制御手段１４，１６、不図示のスタンドから構成した。
【００２５】
薬液温度制御ヒータ１３，１５は、試料支持台１の底面に密着させて試料支持台１を介して薬液噴射管２に熱を供給することで薬液の温度を制御する。薬液温度制御ヒータ１３，１５は、試料支持台１の底面に密着させ、約１００℃から約３００℃まで加熱可能であることが必要であり、ペルチエ素子、ラバーヒータ等のヒータが利用可能である。ここでは、試料支持台１の底面に密着するように縦６ｃｍ、横６ｃｍ高さ３ｃｍの銅製の直方体状のものを加工し、内部に表面を絶縁加工した金属線ヒータを内蔵したものを２個試作して用いた。これらの２個の薬液温度制御ヒータ１３，１５は、各々独立したヒータ温度制御手段１４，１６として２台の市販のＰＩＤ制御の温度コントローラを用いて電源の供給と温度制御をした。また、２個の薬液温度制御ヒータ１３，１５は、不図示のスタンドを用いて支持し、手動で各々の位置を入れ替えることを可能とした。具体的には、まず第一段階として不図示のスタンドで支持した薬液温度制御ヒータ１３を試料支持台１の底面に密着させて用い、次に第二段階として不図示のスタンドを手動で上下左右方向に操作して薬液温度制御ヒータ１３を試料支持台１から分離させ、同時に薬液温度制御ヒータ１５を試料支持台１の下方に移動させ、試料支持台１の底面に密着させることを可能とした。本実施例においては上記の不図示のスタンドを用いたが、上記の２個の薬液温度制御ヒータ１３，１５の位置の入れ替えと試料支持台１との密着が可能であれば、形状、寸法、構造はこれに限るものでなく、例えば、精密な工業用ロボットを用いてもよい。
【００２６】
以上のように構成した実施例１の装置を用いて実際に外装樹脂で集積回路を封入したＩＣ部品の外装樹脂の薬品による溶解除去を試みた。
【００２７】
まず、発煙硫酸を薬液収納容器８に約１０ｍｌ入れ、前述の蓋で密閉した。電磁弁７は不図示のスイッチを用いて閉状態として、加圧ポンプ９を不図示の電源で作動して薬液収納容器８内の発煙硫酸を加圧し、薬液収納容器８と電磁弁７の間の接続管１１を発煙硫酸で充満させた。次に不図示のスタンドで支持した２個の薬液温度制御ヒータ１３，１５のうちの薬液温度制御ヒータ１３を試料支持台１の底面に密着させた。この状態で、試料支持台１にマスク手段４を設置し、その上に試料５として市販のボールグリッドアレイ型のＩＣ部品を、外装樹脂の溶解除去する面を下にして設置し、試料押さえ手段６で上方から押さえて固定した。２個の薬液温度制御ヒータ１３，１５は、ヒータ温度制御手段１４，１６を用いて各々１８０℃、２３０℃一定となるように制御した。不図示の熱伝対を用いて試料の温度が１８０℃であることを確認し、電磁弁７を６秒間に１回、開状態となるように一定時間間隔で合計３０秒間開閉させ、１回の開状態の時に時に薬液が１ｍｌずつ薬液噴射管２を介して試料５に噴射されるように制御した。その後、電磁弁７が閉状態であることを確認した後、不図示のスタンドを手動で上下左右方向に操作して薬液温度制御ヒータ１３を試料支持台１から分離させ、同時に薬液温度制御ヒータ１５を試料支持台１の下方に移動させ、試料支持台１の底面に密着させた。この時点で不図示の熱電対を用いて試料支持台１の温度が２３０度であることを確認した後、先と同様に電磁弁７を６秒間に１回、開状態となるように一定時間間隔で合計３０秒間開閉させ、１回の開状態の時に時に薬液が１ｍｌずつ薬液噴射管２を介して試料５に噴射されるように制御した。
【００２８】
以上のように外装樹脂を発煙硫酸を用いて溶解除去した試料を不図示のガラスビーカに満たしたイソプロピルアルコールに入れ、超音波洗浄装置を用いて洗浄した後、さらに不図示のガラスビーカに満たしたアセトンに移して超音波洗浄した。この試料を実体顕微鏡及び金属顕微鏡を用いて観察したところ、外装樹脂内のＩＣチップは中央及び周囲部分の外装樹脂が残留することなく除去され、またＩＣ周囲の外装樹脂が過度に除去されておらず、実施例１の装置によって当初の目的が達成されたことが確認できた。
【００２９】
実施例１の装置を用いると上記のように２個の試料温度及び薬液温度制御ヒータ１３，１５の移動時に試料５の温度が一時的に下降する為、移動後の試料温度が所望の温度となるまで待つ必要があるが、当初の目的は以上のように達成可能であった。
【００３０】
（実施例２）
以下に、実施例２の装置として、請求項１と３を用いた装置の説明と実際の試行実験について図２を参照しながら詳細に説明する。
【００３１】
実施例２の装置は、実施例１と同様に試料を支持し薬液を試料に噴射する試料台、試料台に薬液を供給する薬液供給手段、試料台で発生した廃液を回収する廃液回収手段、試料台に接触させて薬液の温度を制御する薬液温度制御手段から構成する。しかし、特に薬液温度制御手段が実施例１と異なる。
【００３２】
実施例２においては、試料支持台１、薬液噴射管２、廃液回収管３、マスク手段４、試料押さえ手段６から構成する試料台、及び、薬液収納手段８、加圧ポンプ９、電磁弁７、電磁弁開閉制御手段１０、接続管１１から構成する薬液供給手段、及び、廃液収納手段１２と接続管１１から構成する廃液回収手段は、各々実施例１と同様のものを用いた。本実施例においては、実施例１に説明した試料支持台１、薬液噴射管２、廃液回収管３、マスク手段４、試料押さえ手段６、薬液収納手段８、加圧ポンプ９、電磁弁７、電磁弁開閉制御手段１０、接続管１１、廃液収納手段１２を試作したが、実施例１に各部分の説明で示した条件を満足するものであれば、各々の材質、寸法、外形は上記に限るものではない。
【００３３】
次に、実施例２の薬液温度制御手段について図２を参照しながら説明する。本実施例においては、薬液温度制御手段が独立して２個ある点では実施例１と同様だが、最初に１個の温度制御手段を試料台に固定して用い、所望の時間経過後に他の１個の温度制御手段を試料台に接触固定した１個の温度制御手段に接触して用いることによって薬液の温度制御を実施する点が異なる。図２において、２個の薬液温度制御手段は、試料支持台１の底面に密着させて試料支持台１を介して薬液噴射管２に熱を供給することで薬液の温度を制御する目的の各々独立した薬液温度制御ヒータ１７，１９と各々の薬液温度制御ヒータ１７，１９に電力を供給しかつＰＩＤ制御するヒータ温度制御手段１８，２０から構成した。２個の薬液温度制御ヒータ１７，１９のうちの１個である薬液温度制御ヒータ１７は、試料支持台１に密着した状態で固定して用いる。一方、残りの１個の薬液温度制御ヒータ１９は、不図示のスタンドに支持され、このスタンドの一部を上下左右に移動させることによって、薬液温度制御ヒータ１７に密着可能とした。薬液温度制御ヒータ１７は、実施例１で用いたものと同様に試作したものを用いた。一方、薬液温度制御ヒータ１９は、薬液温度制御ヒータ１７の底面に密着させることが可能な形状、寸法でかつ不図示のスタンドに支持し、上下左右に移動可能なものを試作して用いた。薬液温度制御ヒータ１７，１９は、実施例１と同様に内部に表面を絶縁加工した金属線ヒータを内蔵した。これらの２個の薬液温度制御ヒータ１７，１９は、各々独立したヒータ温度制御手段１８，２０として２台の市販のＰＩＤ制御の温度コントローラを用いて電源の供給と温度制御をした。本実施例においては上記の不図示のスタンドを用いたが、上記の２個の薬液温度制御ヒータ１９の位置の移動と薬液温度制御ヒータ１７とを密着させることが可能であれば、形状、寸法、構造はこれに限るものでなく、例えば、精密な工業用ロボットを用いてもよい。
【００３４】
以上のように構成した実施例２の装置を用いて実際に外装樹脂で集積回路を封入したＩＣ部品の外装樹脂の薬品による溶解除去を試みたが、事前に以下のような予備実験を試みた。本実施例においては、まず薬液温度制御ヒータ１７を約１８０℃に制御し、その後、薬液温度制御ヒータ１７と薬液温度制御ヒータ１９を接触させた時に所望の温度である２３０度となることが必要である。従って、予め、薬液温度制御ヒータ１９を一定制御する温度を見積もっておくことが必要となるからである。今回は、薬液温度制御ヒータ１７，１９の接触後にヒータ温度制御手段１８の設定温度とヒータ温度制御手段２０の設定温度を同じにすることにして、数回の試行を繰り返したところ、設定温度として２６０℃を選択した。尚、このヒータ温度制御手段２０の設定温度は、用いる試料台の材質、寸法、内部の薬液供給管２等の構成物の熱伝導性、及び薬液温度制御ヒータ１７，１９、ヒータ温度制御装置１８，２０の温度制御能力によって異なると思われる。また、本実施例で用いた２６０℃が最適値とは限らないと思われる。従って、本実施例の装置の最適値または推奨値を２６０℃に限定するものではない。
【００３５】
上記の予備実験の後、当初の目的であるＩＣ部品の外装樹脂の溶解除去を以下のように試みた。
【００３６】
まず、実施例１と同様に、発煙硫酸を薬液収納容器８に約１０ｍｌ入れ、前述の蓋で密閉した。電磁弁７は不図示のスイッチを用いて閉状態として、加圧ポンプ９を不図示の電源で作動して薬液収納容器８内の発煙硫酸を加圧し、薬液収納容器８と電磁弁７の間の接続管１１を発煙硫酸で充満させた。薬液温度制御ヒータ１７は不図示のスタンドを用いて試料支持台１の底面に密着固定させた。この状態で、試料支持台１にマスク手段４を設置し、その上に試料５として市販のボールグリッドアレイ型のＩＣ部品を、外装樹脂の溶解除去する面を下にして設置し、試料押さえ手段６で上方から押さえて固定した。２個の薬液温度制御ヒータ１７は、ヒータ温度制御手段１８を用いて各々１８０℃一定となるように制御した。一方、薬液温度制御ヒータ１９は、ヒータ温度制御装置２０を用いて２６０℃一定となるように制御した。不図示の熱伝対を用いて試料支持台１の温度が１８０℃であることを確認し、電磁弁７を６秒間に１回、開状態となるように一定時間間隔で合計３０秒間開閉させ、１回の開状態の時に時に薬液が１ｍｌずつ薬液噴射管２を介して試料５に噴射されるように制御した。その後、電磁弁７が閉状態であることを確認した後、不図示のスタンドを手動で上下左右方向に操作して薬液温度制御ヒータ１９を薬液温度制御ヒータ１７の下方に移動させ、薬液温度制御ヒータ１７の底面に密着させた。この時点でヒータ温度制御手段１８の設定温度を２６０℃に変更した。不図示の熱電対を用いて試料支持台１の温度が約２３０度であることを確認した後、先と同様に電磁弁７を６秒間に１回、開状態となるように一定時間間隔で合計３０秒間開閉させ、１回の開状態の時に時に薬液が１ｍｌずつ薬液噴射管２を介して試料５に噴射されるように制御した。
【００３７】
以上のように外装樹脂を発煙硫酸を用いて溶解除去した試料を実施例１と同様の手順で不図示のガラスビーカに満たしたイソプロピルアルコール及びアセトンを用いて超音波洗浄した。この試料を実体顕微鏡及び金属顕微鏡を用いて観察したところ、実施例１と同様に外装樹脂内のＩＣチップは中央及び周囲部分の外装樹脂が残留することなく除去され、またＩＣ周囲の外装樹脂が過度に除去されておらず、実施例２の装置によって当初の目的が達成されたことが確認できた。
【００３８】
実施例２の装置を用いると実施例１のように試料の温度が一時的に温度が下降することがなく、実施例１に比して時間的な手間が省略可能であり、かつ当初の目的は以上のように達成可能であった。
【００３９】
（実施例３）
以下に、実施例３の装置として、請求項１と４を用いた装置の説明と実際の試行実験について図３を参照しながら詳細に説明する。
【００４０】
実施例３の装置は、実施例１、実施例２と同様に試料を設置し薬液を試料に噴射する試料台、試料台に薬液を供給する薬液供給手段、試料台で発生した廃液を回収する廃液回収手段、試料台に接触させて薬液の温度を制御する薬液温度制御手段から構成する。しかし、特に薬液温度制御手段が実施例１、実施例２と異なる。
【００４１】
実施例３においては、試料支持台１、薬液噴射管２、廃液回収管３、マスク手段４、試料押さえ手段６から構成する試料台、及び、薬液収納手段８、加圧ポンプ９、電磁弁７、電磁弁開閉制御手段１０、接続管１１から構成する薬液供給手段、及び、廃液収納手段１２と接続管１１から構成する廃液回収手段は、各々実施例１、実施例２と同様のものを用いた。本実施例においては、実施例１、実施例２に説明した試料支持台１、薬液噴射管２、廃液回収管３、マスク手段４、試料押さえ手段６、薬液収納手段８、加圧ポンプ９、電磁弁７、電磁弁開閉制御手段１０、接続管１１、廃液収納手段１２を試作したが、実施例１に各部分の説明で示した条件を満足するものであれば、各々の材質、寸法、外形は上記に限るものではない。
【００４２】
次に、実施例３の薬液温度制御手段について図３を参照しながら説明する。本実施例においては、薬液温度制御手段が独立して３個ある点が実施例１、実施例３と異なる。これらの３個の薬液温度制御手段のうちの１個は、常時に固定して用いる。他の２個は、互いの位置を入れ替えることが可能であり、どちらか１個を先の常時固定の薬液温度制御手段とともに用いて薬液の温度制御をすることが可能とした。図３において、３個の薬液温度制御手段は各々独立した薬液温度制御ヒータ２１，２３，２５と各々の薬液温度制御ヒータ２１，２３，２５に電力を供給しかつＰＩＤ制御するヒータ温度制御手段２２，２４，２６から構成した。実際の使用においては、最初の段階で常時固定の薬液温度制御ヒータ２１と移動可能な薬液温度制御ヒータ２３を接触させて薬液の温度制御を行い、所望の時間経過後に、薬液温度制御ヒータ２３と薬液温度制御ヒータ２５の位置を入れ替え、常時固定の薬液温度制御ヒータ２１と薬液温度制御ヒータ２５を接触させて薬液の温度制御を行なう。
【００４３】
試作した装置において薬液温度制御ヒータ２１は、試料支持台１に密着した状態で不図示のスタンドで支持して固定して用いた。一方、残りの２個の薬液温度制御ヒータ２３，２５は、不図示のスタンドに支持され、このスタンドの継ぎ手を上下左右に移動させることによって、どちらか一方を薬液温度制御ヒータ２１に密着させることを可能とした。薬液温度制御ヒータ２１は、実施例１、実施例２で用いたものと同様に試作したものを用いた。一方、薬液温度制御ヒータ２３，２５は、薬液温度制御ヒータ２１の底面に密着させることが可能な形状、寸法でかつ先に示した不図示のスタンドに支持し、上下左右に移動可能なものを試作して用いた。薬液温度制御ヒータ２１，２３，２５は、実施例１、実施例２で用いた薬液温度制御ヒータと同様に内部に表面を絶縁加工した金属線ヒータを内蔵した。これらの３個の薬液温度制御ヒータ２１，２３，２５は、各々独立したヒータ温度制御手段２２，２４，２６として３台の市販のＰＩＤ制御の温度コントローラを用いて電源の供給と温度制御をした。本実施例においては上記のように薬液温度制御ヒータ２１用の固定スタンド、薬液温度制御ヒータ２３，２５の支持及び位置入れ替え用のスタンドを用いたが、先の固定スタンドは薬液温度制御ヒータ２１を試料支持台１との密着固定させることが可能であること、また位置入れ替え用のスタンドは、位置の入れ替え及び薬液温度制御ヒータ２３，２５と薬液温度制御ヒータ２１とを密着させることが可能であれば、形状、寸法、構造はこれに限るものでなく、例えば、精密な工業用ロボットを用いてもよい。
【００４４】
以上のように構成した実施例３の装置を用いて実際に外装樹脂で集積回路を封入したＩＣ部品の外装樹脂の薬品による溶解除去を試みたが、事前に以下のような予備実験を試みた。
【００４５】
本実施例においては、まず薬液温度ヒータ２１と薬液温度制御ヒータ２３を接触させた状態で約１８０℃に制御し、所望の時間の経過後に薬液温度制御ヒータ２３と薬液温度制御ヒータ２５を入れ替え、今度は薬液温度ヒータ２１と薬液温度制御ヒータ２５を接触させた状態で所望の温度である２３０度とすることが必要である。
【００４６】
先の段階で薬液温度制御ヒータ２１と薬液温度制御ヒータ２３の温度制御は、ヒータ温度制御手段２２，２５の設定温度を同じ１８０℃として制御する。次の段階で薬液温度制御ヒータ２１と薬液温度制御ヒータ２５を接触させて温度制御する場合にヒータ温度制御手段２２，２６の設定温度は別々の値とすることも可能であるが、本実施例においては例としてヒータ温度制御手段２２，２６の設定温度を同じとして試行実験を実施した。具体的には、まず薬液温度制御ヒータ２１と薬液温度制御ヒータ２３をヒータ温度制御手段２２，２５を用いて１８０℃一定に制御し、一方、薬液温度制御ヒータ２５はヒータ温度制御手段２６を用いて例えば２４０℃一定に制御しておく。各々の温度が安定したところで、薬液温度制御ヒータ２３と薬液温度制御ヒータ２５を入れ替え、薬液温度制御ヒータ２１と薬液温度制御ヒータ２５を接触させてヒータ温度制御手段２２の設定温度を２４０℃に変更し、薬液の温度が所望の温度である２３０℃に速やかに変化するかどうかを不図示の熱電対を用いて観測した。ヒータ温度制御手段２６の設定温度をいくつか変えて上記の予備実験を繰り返したところ、本実施例の試作装置を用いた場合、ヒータ温度制御手段２６の設定温度として２５５℃選択した。尚、このヒータ温度制御手段２６の設定温度は、用いる試料台の材質、寸法、内部の薬液供給管２等の構成物の熱伝導性、及び薬液温度ヒータ２１，２３，２５、ヒータ温度制御手段２２，２４，２６の温度制御能力によって異なると思われる。また、本実施例で用いた２５５℃が最適値とは限らないと思われる。従って、本実施例の装置の最適値または推奨値を２５５℃に限定するものではない。
【００４７】
上記の予備実験の後、当初の目的であるＩＣ部品の外装樹脂の溶解除去を以下のように試みた。
【００４８】
まず、実施例１、実施例２と同様に発煙硫酸を薬液収納容器１２に約１０ｍｌ入れ、前述の蓋で密閉した。電磁弁７は不図示のスイッチを用いて閉状態として、加圧ポンプ９を不図示の電源で作動して薬液収納容器８内の発煙硫酸を加圧し、薬液収納容器８と電磁弁７の間の樹脂管（接続管）１１を発煙硫酸で充満させた。薬液温度制御ヒータ２１は不図示のスタンドを用いて試料支持台１の底面に密着固定させ、薬液温度制御ヒータ２３は、薬液温度制御ヒータ２１の底面に不図示のスタンドを用いて密着固定させた。この状態で、試料支持台１にマスク手段４を設置し、その上に試料５として市販のボールグリッドアレイ型のＩＣ部品を、外装樹脂の溶解除去する面を下にして設置し、試料押さえ手段６で上方から押さえて固定した。上記のように互いに密着させた薬液温度制御ヒータ２１と薬液温度制御ヒータ２３は、ヒータ温度制御手段２２，２４を用いて各々１８０℃一定となるように制御した。
【００４９】
一方、薬液温度制御ヒータ２５は、ヒータ温度制御手段２６を用いて２５５℃一定となるように制御した。不図示の熱伝対を用いて試料支持台１の温度が１８０℃であることを確認し、電磁弁７を６秒間に１回、開状態となるように一定時間間隔で合計３０秒間開閉させ、１回の開状態の時に時に薬液が１ｍｌずつ薬液噴射管２を介して試料５に噴射されるように制御した。その後、電磁弁７が閉状態であることを確認した後、不図示のスタンドを手動で上下左右方向に操作して薬液温度制御ヒータ２３を薬液温度制御ヒータ２１の下方に移動させて分離し、さらに薬液温度制御ヒータ２３と薬液温度制御ヒータ２５の位置を入れ替え、薬液温度制御ヒータ２５を薬液温度制御ヒータ２１の底面に密着させた。この時点で、ヒータ温度制御手段２２の設定温度を２５５℃に変更した。不図示の熱電対を用いて試料支持台１の温度が約２３０度であることを確認した後、先と同様に電磁弁７を６秒間に１回開状態となるように一定時間間隔で合計３０秒間開閉させ、１回の開状態の時に時に薬液が１ｍｌずつ薬液噴射管２を介して試料５に噴射されるように制御した。
【００５０】
以上のように外装樹脂を発煙硫酸を用いて溶解除去した試料を実施例１、２と同様の手順で不図示のガラスビーカに満たしたイソプロピルアルコール及びアセトンを用いて超音波洗浄した。この試料を実体顕微鏡及び金属顕微鏡を用いて観察したところ、実施例１、２と同様に外装樹脂内のＩＣチップは中央及び周囲部分の外装樹脂が残留することなく除去され、またＩＣ周囲の外装樹脂が過度に除去されておらず、実施例３の装置によって当初の目的が達成されたことが確認できた。
【００５１】
実施例３の装置を用いると実施例２と同様、実施例１のように試料の温度が一時的に温度が下降することがなく、実施例１に比して時間的な手間が省略可能であり、かつ当初の目的は以上のように達成可能であった。
【００５２】
【発明の効果】
時間的に先に試料温度及び薬液温度を比較的低く制御して溶融除去し、次に、試料温度及び薬液温度を比較的高く設定して外装樹脂を溶融除去することで、ＩＣ部品の外装樹脂内のＩＣチップの表面上の中央及び周囲部、及び、ＩＣチップの周囲の外装樹脂が過不足なく溶解除去可能となり、結果として露出したＩＣチップ表面及び周囲の光学顕微鏡や電子顕微鏡等を用いた観察や元素分析装置を用いた元素分析がＩＣ部品の外装樹脂に邪魔されること無く実施可能となるという効果がある。
【図面の簡単な説明】
【図１】実施例１の特徴を示す概念断面図
【図２】実施例２の特徴を示す概念断面図
【図３】実施例３の特徴を示す概念断面図
【符号の説明】
１　試料支持台
２　薬液噴射管
３　廃液回収管
４　マスク手段
５　試料
６　試料押さえ手段
７　電磁弁
８　薬液収納手段（薬液収納容器）
９　加圧ポンプ
１０　電磁弁開閉制御手段
１１　接続管
１２　廃液収納手段
１３、１５、１７、１９、２１、２３、２５　薬液温度制御ヒータ
１４、１６、１８、２０、２２、２４、２６　ヒータ温度制御手段
【図１】
2004111444.tif 000003
【図２】
2004111444.tif 000004
【図３】
2004111444.tif 000005